(57)【特許請求の範囲】
【請求項１】
壁に取付けられ給湯又は給水のための水栓本体には表示カラーが支持されるとともに、前記水栓本体が表示カラーに設けられた挿通孔を通って延びその先端部に操作ハンドルを有し、かつ前記表示カラーを水栓本体に組付けるための連結部を備えた湯水混合水栓において、
前記表示カラーには係合部を設け、水栓本体に固定されるステー、水栓本体又は壁に固定されているカウンターのいずれかには前記係合部に係合する被係合部を設けるか、ステー、水栓本体又は壁に固定されているカウンターのいずれかには係合部を設け、表示カラーには前記係合部に係合する被係合部を設けるとともに、前記係合部と被係合部との係合に到るまでの係合距離が表示カラーと連結部との係合に到るまでの係合距離よりも短く設定され、水栓本体に対する表示カラーの組付け時には係合部と被係合部との係合が表示カラーと連結部との係合よりも先に行われるように構成されていることを特徴とする湯水混合水栓における表示カラーの組付構造。
【請求項２】
前記係合部は係合突起であり、被係合部は切欠きであることを特徴とする請求項１に記載の湯水混合水栓における表示カラーの組付構造。
【請求項３】
前記係合突起は断面円弧状に形成され、その両端部が切欠きに係合するように構成されていることを特徴とする請求項２に記載の湯水混合水栓における表示カラーの組付構造。
【請求項４】
前記係合突起は同一長さで複数設けられていることを特徴とする請求項２又は請求項３に記載の湯水混合水栓における表示カラーの組付構造。
【請求項５】
前記係合突起が切欠きに係合した状態で表示カラーの表示位置を微調節するための隙間が係合突起と切欠きとの間に形成されていることを特徴とする請求項２から請求項４のいずれか１項に記載の湯水混合水栓における表示カラーの組付構造。
【請求項６】
前記連結部は保持リング又は凹凸部で構成されていることを特徴とする請求項１から請求項５のいずれか１項に記載の湯水混合水栓における表示カラーの組付構造。
【発明の詳細な説明】
【技術分野】
【０００１】
本発明は、浴室などの壁面に固定され、温度調節用又は吐水形態変更用の表示カラーを備えた湯水混合水栓における表示カラーの組付構造に関する。
【背景技術】
【０００２】
この種の表示カラーを備えた湯水混合水栓について、本願出願人は既に提案を行っている（特許文献１を参照）。かかる提案は、弁装置を内蔵する本体と、該本体に突設されて弁装置を駆動するスピンドルと、該スピンドルに取着されたハンドルとを備え、本体に装着され、スピンドルを支持する支持部材を備えた給水栓である。この給水栓における表示カラーは、本体に螺着された表示カラー取付ナットの外周面にセレーション噛合により回動不能に取付けられるとともに、表示カラーの係止突起が表示カラー取付ナットの係止溝に係止されている。
【０００３】
また、その他の湯水混合水栓における表示カラーの組付構造が知られている。例えば、図１０（ａ）に示すように、水栓本体５１には表示カラー５２の突起５３が係合する切欠き５４が設けられるとともに、外周面の装着溝５５にはＯリング５６が嵌着されている。そして、表示カラー５２の突起５３が水栓本体５１の切欠き５４に係合されることによって表示カラー５２が回り止めされるとともに、突起５３の内面が水栓本体５１のＯリング５６に密接されて表示カラー５２が水栓本体５１に安定した状態で保持される。
【０００４】
さらに、図１０（ｂ）に示すように、浴室の壁に固定されたカウンター５７に切欠き５４が設けられるとともに、水栓本体５１の装着溝５５にはＯリング５６が嵌着されている。そして、表示カラー５２の外周部に設けられた突起５３がカウンター５７の切欠き５４に係合するとともに、その状態で表示カラー５２内周部の係止筒５８の外面が水栓本体５１のＯリング５６に密接されて表示カラー５２が水栓本体５１に保持されるようになっている。
【先行技術文献】
【特許文献】
【０００５】
【特許文献１】特開２００２−２５６５９７号公報
【発明の概要】
【発明が解決しようとする課題】
【０００６】
しかしながら、特許文献１に記載されている給水栓では、表示カラー取付ナットと表示カラーにセレーションを形成してセレーション噛合する必要がある上に、表示カラーに係止突起を設け、表示カラー取付ナットに係止溝を設けて係止突起を係止溝に係止させる必要がある。このため、構成が複雑であるとともに、組付けが煩雑で組付け作業に時間を要し、作業効率が悪いという問題があった。
【０００７】
また、図１０（ａ）及び図１０（ｂ）に示す湯水混合水栓では、表示カラー５２の突起５３が水栓本体５１又はカウンター５７の切欠き５４に係合する前に、表示カラー５２の突起５３の内面又は係止筒５８の外面が水栓本体５１のＯリング５６に接触して係止される。このため、その段階で表示カラー５２の組付けが完了したものと誤認識されるおそれがあった。加えて、表示カラー５２がＯリング５６に接触すると、その摺接抵抗により表示カラー５２の組付けを円滑に行うことができず、組付け作業性が悪いという問題があった。
【０００８】
そこで本発明の目的とするところは、簡易な構成で表示カラーを水栓本体に正確かつ速やかに組付けることができる湯水混合水栓における表示カラーの組付構造を提供することにある。
【課題を解決するための手段】
【０００９】
上記の目的を達成するために、請求項１に記載の発明の湯水混合水栓における表示カラーの組付構造は、壁に取付けられ給湯又は給水のための水栓本体には表示カラーが支持されるとともに、前記水栓本体が表示カラーに設けられた挿通孔を通って延びその先端部に操作ハンドルを有し、かつ前記表示カラーを水栓本体に組付けるための連結部を備えた湯水混合水栓において、前記表示カラーには係合部を設け、水栓本体に固定されるステー、水栓本体又は壁に固定されているカウンターのいずれかには前記係合部に係合する被係合部を設けるか、ステー、水栓本体又は壁に固定されているカウンターのいずれかには係合部を設け、表示カラーには前記係合部に係合する被係合部を設けるとともに、前記係合部と被係合部との係合に到るまでの係合距離が表示カラーと連結部との係合に到るまでの係合距離よりも短く設定され、水栓本体に対する表示カラーの組付け時には係合部と被係合部との係合が表示カラーと連結部との係合よりも先に行われるように構成されていることを特徴とする。
【００１０】
請求項２に記載の湯水混合水栓における表示カラーの組付構造は、請求項１に係る発明において、前記係合部は係合突起であり、被係合部は切欠きであることを特徴とする。
請求項３に記載の湯水混合水栓における表示カラーの組付構造は、請求項２に係る発明において、前記係合突起は断面円弧状に形成され、その両端部が切欠きに係合するように構成されていることを特徴とする。
【００１１】
請求項４に記載の湯水混合水栓における表示カラーの組付構造は、請求項２又は請求項３に係る発明において、前記係合突起は同一長さで複数設けられていることを特徴とする。
【００１２】
請求項５に記載の湯水混合水栓における表示カラーの組付構造は、請求項１から請求項４のいずれか１項に係る発明において、前記係合突起が切欠きに係合した状態で表示カラーの表示位置を微調節するための隙間が係合突起と切欠きとの間に形成されていることを特徴とする。
【００１３】
請求項６に記載の湯水混合水栓における表示カラーの組付構造は、請求項１から請求項５のいずれか１項に係る発明において、前記連結部は保持リング又は凹凸部で構成されていることを特徴とする。
【発明の効果】
【００１４】
本発明によれば、次のような効果を発揮することができる。
本発明の湯水混合水栓における表示カラーの組付構造では、表示カラーには係合部が設けられ、ステー、水栓本体又は壁に固定されているカウンターのいずれかには前記係合部に係合する被係合部が設けられるか、ステー、水栓本体又は壁に固定されているカウンターのいずれかには係合部が設けられ、表示カラーには前記係合部に係合する被係合部が設けられている。そして、前記係合部と被係合部との係合に到るまでの係合距離が表示カラーと連結部との係合に到るまでの係合距離よりも短く設定されている。
【００１５】
このため、表示カラーを水栓本体に組付けるときには、表示カラーと連結部との係合が行われる前に係合部が被係合部に係合され、表示カラーが回り止めされる。その後、表示カラーが水栓本体の連結部に係合されて保持される。
【００１６】
従って、本発明の湯水混合水栓における表示カラーの組付構造によれば、簡易な構成で表示カラーを水栓本体に正確かつ速やかに組付けることができる。
【図面の簡単な説明】
【００１７】
【図１】本発明の第１実施形態における湯水混合水栓を示す縦断面図。
【図２】図１とは周方向に９０度異なる位置における湯水混合水栓を示す縦断面図。
【図３】（ａ）は表示カラー示す正面図、（ｂ）は表示カラーを示す平面図、（ｃ）は（ｂ）の３ｃ−３ｃ線における断面図。
【図４】（ａ）はステーを示す正面図、（ｂ）はステーを示す平面図、（ｃ）はステーを示す側面図。
【図５】湯水混合水栓を浴室の壁に取付けた状態を示す斜視図。
【図６】湯水混合水栓を分解して示す斜視図。
【図７】表示カラーがその保持爪で水栓本体に保持される第２実施形態の湯水混合水栓を示す縦断面図。
【図８】水栓本体に切欠きが設けられた第３実施形態の湯水混合水栓を示す縦断面図。
【図９】（ａ）はカウンターに切欠きが設けられた第４実施形態の表示カラーの係合突起がカウンターの切欠きに係合する直前の状態の湯水混合水栓を示す縦断面図、（ｂ）は（ａ）とは周方向に９０度異なる位置における表示カラーの係合突起がカウンターの切欠きに係合され、装着完了した後の状態の湯水混合水栓を示す縦断面図。
【図１０】従来の湯水混合水栓を示す図であって、（ａ）は水栓本体に切欠きが設けられている湯水混合水栓の縦断面図、（ｂ）はカウンターに切欠きを設けた湯水混合水栓の表示カラーの係合突起がカウンターの切欠きに係合する直前の状態の縦断面図。
【発明を実施するための形態】
【００１８】
（第１実施形態）
以下、本発明を具体化した第１実施形態を図１〜図６に基づいて詳細に説明する。
図５に示すように、浴室のカウンターの壁１１前面の上部位置には、湯水混合水栓を構成する湯水の吐水形態を切り換えるための吐水形態切換装置１２が取着され、下部位置には同じく湯水混合水栓を構成する湯水の温度を調節するための温度調節装置１３が取着されている。カウンターの壁１１の側面には湯水混合水栓のシャワー用吐水口に接続されたエルボ継手１４が突設され、該エルボ継手１４にはシャワー用ホース１５を介してシャワーヘッド１６が取付けられている。
【００１９】
図１及び図６に示すように、給湯配管１７及び給水配管１８の上端部は温度調節用水栓本体１９に接続され、該温度調節用水栓本体１９の上部は接続アダプター２０を介して吐水形態切換用水栓本体２１に接続されている。温度調節用水栓本体１９の接続筒２２がパッキン２３を介してステー２４の貫通孔２５に挿通され、連結環２６が接続筒２２に螺合されることにより、連結環２６がステー２４上に固定されるようになっている。この連結環２６の外周に設けられた環状の装着溝２７には連結部としてのゴム製の保持リング２８が嵌着されている。連結環２６の内側にはサーモカートリッジ２９が挿入されて温度調節用水栓本体１９に組付けられ、該サーモカートリッジ２９には固定ナット３０ａ等を介して操作ハンドル３１が組付けられている。該操作ハンドル３１にはハンドルキャップ３２が被せられている。前記連結環２６の外周には温度調節用の表示カラー３３が装着されている。
【００２０】
図３（ａ），（ｂ）及び（ｃ）に示すように、前記表示カラー３３はＡＢＳ樹脂により笠状に形成され、その中心部には挿通孔３４が開口されている。表示カラー３３の外周部及び内周部には同心円状の外筒部３５及び内筒部３６が突設されている。そして、表示カラー３３が水栓本体に組付けられたとき、その内筒部３６の内周面が連結環２６外周の保持リング２８に密接し、表示カラー３３が保持リング２８に保持されるようになっている。
【００２１】
表示カラー３３の外筒部３５と内筒部３６の間には、断面円弧状をなす３つの係合突起３７ａ，３７ｂ，３７ｃが内筒部３６の外周面との間に架設された補強リブ３８で補強された状態で立設されている。３つの係合突起３７ａ，３７ｂ，３７ｃのうち、１８０度対向する位置に設けられた一対の係合突起３７ｂ，３７ｃは、それらの係合突起３７ｂ，３７ｃから周方向に９０度離れた位置に設けられた主係合突起３７ａよりも幅狭に形成されている。なお、表示カラー３３の表示は、中央に４０℃の目安を示す４０、その一方側に４０℃より高温を示すＨ、他方側に４０℃よりも低温を示すＣである。
【００２２】
図４（ａ），（ｂ）及び（ｃ）に示すように、前記ステー２４は断面門型形状をなし、その両側底部には脚板３９が外方に延出されている。ステー２４の頂板４０の中心には平面円形状の貫通孔２５が透設されるとともに、該頂板４０の端部と一側板４３の端部との角部には頂板４０と一側板４３とに跨るように長孔状の切欠き４４が開口されている。この切欠き４４には、表示カラー３３が水栓本体に組付けられたとき、表示カラー３３の主係合突起３７ａが係合されて表示カラー３３を回り止めするように構成されている。
【００２３】
図１に示すように、表示カラー３３の主係合突起３７ａとステー２４の切欠き４４との係合に到るまでの係合距離ｘは、表示カラー３３の内筒部３６と水栓本体の保持リング２８との係合に到るまでの係合距離ｙよりも短く設定されている。ここで、係合距離ｘとは、表示カラー３３が温度調節用水栓本体１９に組付けられるとき、表示カラー３３の所定位置（例えば図１の一点鎖線の位置）から表示カラー３３の主係合突起３７ａがステー２４の切欠き４４に係合するまでの距離を意味する。また、係合距離ｙとは、表示カラー３３の所定位置（例えば図１の一点鎖線の位置）から表示カラー３３の内筒部３６が保持リング２８に係合するまでの距離を意味する。かかる係合距離ｘ，ｙを上記のように設定することにより、表示カラー３３の主係合突起３７ａとステー２４の切欠き４４との係合は、表示カラー３３の内筒部３６と保持リング２８との係合よりも先に行われるようになっている。
【００２４】
図４（ｂ）に示すように、表示カラー３３の主係合突起３７ａがステー２４の切欠き４４に係合されたとき、主係合突起３７ａの両端部と切欠き４４の内周面との間には若干の隙間ｄが形成されている。この隙間ｄは例えば１〜２ｍｍに設定される。この隙間ｄにより、主係合突起３７ａと切欠き４４との係合を容易に行うことができるとともに、表示カラー３３が温度調節用水栓本体１９に組付けられた後に表示カラー３３の周方向における位置の微調節を行うことができる。また、表示カラー３３の１８０度対向する位置に設けられた一対の係合突起３７ｂ，３７ｃは、ステー２４の両側縁に干渉しないように両側縁よりも外側に位置するようになっている。
【００２５】
一方、図６に示すように、吐水形態切換用水栓本体２１の構成も温度調節装置の構成とほぼ同様であるが、サーモカートリッジ２９に代えて切換弁カートリッジ４５が用いられるとともに、表示カラー３３の表示が吐水形態を示す表示に変更されている。なお、切換弁カートリッジ４５には固定ナット３０ｂを介して操作ハンドル３１が組付けられている。表示カラー３３の表示は、中央に吐水を止める「止」の文字、その一方側に第１吐水形態を示す図形、他方側に第２吐水形態を示す図形である。
【００２６】
次に、上記のように構成された湯水混合水栓における表示カラー３３の組付け方法について説明する。
さて、図１及び図２に示すように、サーモカートリッジ２９がステー２４の貫通孔２５を挿通して温度調節用水栓本体１９に組付けられた後、ステー２４上で連結環２６が温度調節用水栓本体１９の接続筒２２に螺合固定される。その状態で、図１の二点鎖線に示すように、表示カラー３３が上方から連結環２６の外周に嵌挿され、表示カラー３３の内筒部３６が連結環２６の保持リング２８に干渉する前に、表示カラー３３の主係合突起３７ａがステー２４の切欠き４４に係合する。このとき、図２の二点鎖線に示すように、表示カラー３３の一対の係合突起３７ｂ，３７ｃはステー２４に干渉することなく、ステー２４の両側縁の側方より外方に位置している。
【００２７】
そのため、表示カラー３３の主係合突起３７ａをステー２４の切欠き４４に支障なく、速やかに係合させることができる。その後、図１の実線に示すように、表示カラー３３がさらに奥まで嵌挿されると、表示カラー３３の主係合突起３７ａがステー２４の切欠き４４に深く入り込んで係合するとともに、表示カラー３３の内筒部３６の内周面が連結環２６の保持リング２８に密接する。このように、表示カラー３３の主係合突起３７ａとステー２４の切欠き４４との係合によって表示カラー３３が回り止めされると同時に、表示カラー３３の内筒部３６と連結環２６の保持リング２８との係合によって表示カラー３３が安定に保持される。
【００２８】
以上の第１実施形態により発揮される効果について以下にまとめて記載する。
(1)  第１実施形態における湯水混合水栓における表示カラー３３の組付構造では、表示カラー３３には主係合突起３７ａが設けられ、ステー２４には前記主係合突起３７ａに係合する切欠き４４が設けられている。そして、主係合突起３７ａと切欠き４４との係合に到るまでの係合距離ｘが表示カラー３３の内筒部３６と水栓本体の保持リング２８との係合に到るまでの係合距離ｙよりも短く設定されている。
【００２９】
このため、表示カラー３３を水栓本体に組付けるときには、表示カラー３３と保持リング２８との係合が行われる前に主係合突起３７ａが切欠き４４に係合され、表示カラー３３が回り止めされる。その後、表示カラー３３が水栓本体の保持リング２８に係合されて保持される。
【００３０】
従って、湯水混合水栓における表示カラー３３の組付構造によれば、簡易な構成で表示カラー３３を水栓本体に正確かつ速やかに組付けることができる。すなわち、表示カラー３３の内筒部３６と保持リング２８との係合による抵抗に影響されることなく、表示カラー３３を正しい位置まで回動させることができる。さらに、表示カラー３３を回動させるときに保持リング２８を捩って損傷を与えるおそれもない。
【００３１】
(2)  表示カラー３３の係合部を主係合突起３７ａとし、ステー２４の被係合部を切欠き４４としたことから、係合構造を簡単かつ十分なものにすることができる。
(3)  表示カラー３３の主係合突起３７ａを断面円弧状に形成し、その両端部がステー２４の切欠き４４に係合するように構成したことから、表示カラー３３の回動に対する十分な抵抗力を示すことができ、表示カラー３３の回り止めを有効に行うことができる。
【００３２】
(4)  表示カラー３３の係合部を、主係合突起３７ａと１８０度対向する一対の係合突起３７ｂ，３７ｃとで構成し、これら係合突起３７ａ，３７ｂ，３７ｃを同一長さに設定した。このため、表示カラー３３を水栓本体に組付けるとき、これら３つの係合突起３７ａ，３７ｂ，３７ｃのうち少なくとも２つの係合突起３７ａ，３７ｂ，３７ｃの先端部がステー２４上に同時に載るようにした後、表示カラー３３を回動させて主係合突起３７ａを切欠き４４に係合させるように操作することができる。
【００３３】
従って、表示カラー３３をステー２４の上面に対して平行（水栓本体に対して垂直）に組付けることができる。言い換えれば、表示カラー３３が傾いて組付けられたときには保持リング２８がはみ出したり、引っ掛ったり等するが、そのような事態に到ることなく表示カラー３３の組付けを行うことができる。加えて、表示カラー３３を周方向に微動させることにより、表示カラー３３の内筒部３６と保持リング２８との係合をなじませることができる。
【００３４】
(5)  表示カラー３３の主係合突起３７ａがステー２４の切欠き４４に係合した状態で、主係合突起３７ａの両端部と切欠き４４との間に隙間ｄが形成されている。このため、表示カラー３３の表示位置を前記隙間ｄの分だけ微調節することができる。
【００３５】
(6)  連結環２６の連結部はゴム製の保持リング２８で構成されていることにより、表示カラー３３の内筒部３６と保持リング２８との係合力が高められ、水栓本体に対して表示カラー３３を良好に保持することができる。
（第２実施形態）
次に、本発明の第２実施形態を図７に基づいて説明する。なお、この第２実施形態以降においては、第１実施形態と異なる部分について主に説明する。
【００３６】
図７に示すように、前記連結環２６に設けられる連結部として、連結環２６の外周面に円環状をなし、断面三角形状の係合凹部４６が設けられている。一方、表示カラー３３の内筒部３６の端部内周面には円環状をなし、断面三角形状の係合凸部４７が突出形成され、前記連結環２６の係合凹部４６に係合されるようになっている。そして、表示カラー３３を水栓本体に組付ける場合には、表示カラー３３を連結環２６の外周に嵌挿して主係合突起３７ａをステー２４の切欠き４４に係合させた後、表示カラー３３をさらに嵌挿し、表示カラー３３の内筒部３６の係合凸部４７を連結環２６の係合凹部４６に係合させる。このとき、表示カラー３３はＡＢＳ樹脂で形成されていることから、その内筒部３６はわずかに撓んだ状態で連結環２６の外周面に摺接しながら嵌挿され係合凸部４７が係合凹部４６に係合される。
【００３７】
この第２実施形態によれば、係合凸部４７と係合凹部４６の凹凸係合により水栓本体に対して表示カラー３３を所定位置に保持することができる。
（第３実施形態）
次に、本発明の第３実施形態を図８に基づいて説明する。
【００３８】
図８に示すように、サーモカートリッジ２９と連結環２６との間には、被係合部としての切欠き４４が形成されている。一方、表示カラー３３の内面には内筒部３６が設けられ、該内筒部３６よりさらに内側位置には係合部としての主係合突起３７ａが突出形成されている。そして、表示カラー３３の主係合突起３７ａが水栓本体の切欠き４４に係合されるように構成されている。この場合も、主係合突起３７ａと切欠き４４との係合に到るまでの係合距離ｘは表示カラー３３の内筒部３６と保持リング２８との係合に到るまでの係合距離ｙよりも短く設定され、表示カラー３３の組付け時には主係合突起３７ａと切欠き４４との係合が表示カラー３３の内筒部３６と保持リング２８との係合よりも先に行われるようになっている。
【００３９】
従って、第３実施形態によれば、表示カラー３３内面の最も内側に主係合突起３７ａを設け、水栓本体の一部に切欠き４４を設けたことから、表示カラー３３の組付構造を小さく形成することが可能であるとともに、係合の精度を向上させることができる。
（第４実施形態）
次に、本発明の第４実施形態を図９（ａ），（ｂ）に基づいて説明する。
【００４０】
図９（ａ），（ｂ）に示すように、前記カウンター４８には被係合部としての切欠き４４が設けられている。また、連結環２６の内周面には環状の装着溝２７が形成され、ゴム製の保持リング２８が嵌着されている。一方、表示カラー３３に設けられた外筒部３５が係合部としての主係合突起３７ａとなっている。そして、表示カラー３３の主係合突起３７ａがカウンター４８の切欠き４４に係合するとともに、表示カラー３３の内筒部３６の外周面が連結環２６の保持リング２８に係合されるように構成されている。
【００４１】
そして、図９（ａ）に示すように、表示カラー３３を連結環２６に嵌挿すると、その内筒部３６が保持リング２８に係合する前に、主係合突起３７ａがカウンター４８の切欠き４４に係合する。続いて、図９（ｂ）に示すように、表示カラー３３をさらに嵌挿すると、表示カラー３３の主係合突起３７ａがカウンター４８の切欠き４４に深く係合すると同時に、表示カラー３３の内筒部３６が連結環２６の保持リング２８に係合する。
【００４２】
この第４実施形態によれば、表示カラー３３の主係合突起３７ａが外筒部３５に設けられ、その外筒部３５とカウンター４８の切欠き４４が最も見やすい位置に設けられていることから、主係合突起３７ａと切欠き４４との係合操作を容易に実施することができる。
【００４３】
なお、前記各実施形態を次のように変更して実施することも可能である。
・  前記被係合部を貫通孔や有底穴で構成することもできる。また、係合部を切欠き、貫通孔、有底穴等で構成し、被係合部を突起で構成することも可能である。
【００４４】
・  前記ステー２４に係合部としての係合突起を設け、表示カラー３３に被係合部としての切欠きや係合孔を設けることも可能である。
・  前記表示カラー３３の主係合突起３７ａ及びステー２４の切欠き４４を省略し、表示カラー３３の一対の係合突起３７ｂ，３７ｃを係合部とし、ステー２４の両側縁を被係合部とすることもできる。この場合、表示カラー３３の係合突起３７ｂ，３７ｃを１つのみとすることもできる。
【００４５】
・  前記表示カラー３３の一対の係合突起３７ｂ，３７ｃを省略し、主係合突起３７ａのみとすることも可能である。
・  前記表示カラー３３の一対の係合突起３７ｂ，３７ｃの幅を主係合突起３７ａの幅と同じに設定することもできる。
【００４６】
・  主係合突起３７ａを省略し、表示カラー３３の一対の係合突起３７ｂ，３７ｃを係合部とした場合、係合突起３７ｂ，３７ｃは１８０度対向する位置ではなく、任意の角度をなす位置に設けることもできる。
【符号の説明】
【００４７】
１１…カウンターの壁、１９…温度調節用水栓本体、２１…吐水形態切換用水栓本体、２４…ステー、２８…連結部としての保持リング、３１…操作ハンドル、３３…表示カラー、３４…挿通孔、３７ａ…主係合突起、３７ｂ…係合突起、３７ｃ…係合突起、４４…切欠き、４６…凹凸部を構成する係合凹部、４７…凹凸部を構成する係合凸部、４８…カウンター、ｘ…係合突起と切欠きとの係合に到るまでの係合距離、ｙ…表示カラーと連結部との係合に到るまでの係合距離、ｄ…隙間。
【図１】
0005520669.tif 000002
【図２】
0005520669.tif 000003
【図３】
0005520669.tif 000004
【図４】
0005520669.tif 000005
【図５】
0005520669.tif 000006
【図６】
0005520669.tif 000007
【図７】
0005520669.tif 000008
【図８】
0005520669.tif 000009
【図９】
0005520669.tif 000010
【図１０】
0005520669.tif 000011